(57)【要約】【課題】この考案は、プラスチック製であって、分割容易、可及的に材料量の少ない割箸を目的としたものである。【解決手段】この考案は、先端側を断面円形にして細くし、基端側を断面角形として太くしたプラスチック杆を二本並列し、前記角形の隅部を薄皮で連結すると共に、中間部の四面には断面凹状の溝を設け、前記先端側の物品挟着域に、複数段の環状溝を設けたことを特徴とするプラスチック製割箸により、目的を達成した。【選択図】図１
0003124630.tif 000002
【実用新案登録請求の範囲】
【請求項１】
先端側を断面円形にして細くし、基端側を断面角形として太くしたプラスチック杆を二本並列し、前記角形の隅部を薄皮で連結すると共に、中間部の四面には断面凹状の溝を設け、前記先端側の物品挟着域に、複数段の環状溝を設けたことを特徴とするプラスチック製割箸。
【請求項２】
先端側を断面円形にして細くし、基端側を断面角形として太くしたプラスチック杆を二本並列し、前記角形の隅部を薄皮で連結すると共に、中間部の四面には断面凹状の溝を設け、前記先端側の物品挟着域は先端側を細くし、基端側を太くして、該部に、複数段の環状溝を設けたことを特徴とするプラスチック製割箸。
【請求項３】
先端側を断面円形にして細くし、基端側を断面角形として太くしたプラスチック杆を二本並列し、前記角形の隅部を薄皮で連結すると共に、前記薄皮の下縁に切込みを入れ、前記プラスチック杆の中間部の四面には断面凹状の溝を設け、前記先端側の物品挟着域は先端側を細くし、基端側を太くして、該部に、複数段の環状溝を設けたことを特徴とするプラスチック製割箸。
【請求項４】
先端側を断面円形にして細くし、基端側を断面角形として太くしたプラスチック杆を二本並列し、前記角形の隅部を薄皮で連結すると共に、中間部の四面には断面凹状の溝を設け、前記先端側の物品挟着域に、複数段の環状溝を設け、前記基端側の角形部と、先端側の円形部との間は、ほぼ同一断面の隅部円弧の方形であり、全長に亘り凹孤溝が設けられたことを特徴とするプラスチック製割箸。
【請求項５】
先端側を断面円形にして細くし、基端側を断面角形として太くしたプラスチック杆を二本並列し、前記角形の隅部を薄皮で連結すると共に、前記薄皮の下縁に三角状切込みを入れ、前記プラスチック杆の中間部の四面には断面凹状の溝を設け、前記先端側の物品挟着域は先端側を細くし、基端側を太くして、該部に、複数段の環状溝を設け、前記基端側の角形部と、先端側の円形部との間は、ほぼ同一断面の隅部円弧の方形であり、全長に亘り凹孤溝が設けられたことを特徴とするプラスチック製割箸。
【考案の詳細な説明】
【技術分野】
【０００１】
この考案は、従来広く使用されている木製割箸の代りに開発したプラスチック製割箸に関する。
【背景技術】
【０００２】
従来割箸は総て木製であって、我が国では年間３００億膳〜３５０億膳使用するといわれ、前記の８５％は外国からの輸入に依存している。
【０００３】
一方我が国の食文化として、一度使用した箸を二度使用しない習慣となっており、いわゆる使用時に割ることにより、一度だけ使用する点を担保するものである。
【０００４】
前記のように割箸は一度使用すると、二度と使用しないこと、再生利用の道がないので、年間３００億膳以上廃棄され、資源の無駄使いになっていた。
【特許文献１】特公平７−７７５７１
【特許文献２】特開平６−７２３６
【考案の開示】
【考案が解決しようとする課題】
【０００５】
現在使用されている割箸は総て木製であり、かつ８５％は輸入である。従って木材資源の枯渇による輸出制限があれば、忽ち価格が高騰し、経営難を生じるおそれがあり、再使用については、衛生上の問題があって、未だ確実な解決策はない。
【０００６】
前記のように、割箸を合成樹脂製にしようとする提案もあるが、未だ普及するに到っていない。前記提案が普及するに到らない理由としては、低価格の木製割箸に対抗できないか、使用済箸の処理か、又は割難い形状から来ることも考えられる。
【０００７】
前記価格については、輸入割箸の価格上昇と、合成樹脂成形技術上の工夫により多数高速成形することで解決できる。また使用済箸の処理については、再生できる樹脂又は生分解性樹脂を用いることにより、再生又は微生物処理などにより廃棄物を少なくすることにより解決できる。更に割り易くする為の工夫を加えることにより、前記従来の問題点を解決したのである。
【課題を解決するための手段】
【０００８】
この考案は、多量生産方式を採用すると共に、引裂容易に合成樹脂を用い、かつ引裂容易な形状にすることにより、前記従来の問題点を解決したのである。
【０００９】
即ちこの考案は、先端側を断面円形にして細くし、基端側を断面角形として太くしたプラスチック杆を二本並列し、前記角形の隅部を薄皮で連結すると共に、中間部の四面には断面凹状の溝を設け、前記先端側の物品挟着域に、複数段の環状溝を設けたことを特徴とするプラスチック製割箸であり、先端側を断面円形にして細くし、基端側を断面角形として太くしたプラスチック杆を二本並列し、前記角形の隅部を薄皮で連結すると共に、中間部の四面には断面凹状の溝を設け、前記先端側の物品挟着域は先端側を細くし、基端側を太くして、該部に、複数段の環状溝を設けたことを特徴とするプラスチック製割箸である。
【００１０】
また他の考案は、先端側を断面円形にして細くし、基端側を断面角形として太くしたプラスチック杆を二本並列し、前記角形の隅部を薄皮で連結すると共に、前記薄皮の下縁に切込みを入れ、前記プラスチック杆の中間部の四面には断面凹状の溝を設け、前記先端側の物品挟着域は先端側を細くし、基端側を太くして、該部に、複数段の環状溝を設けたことを特徴とするプラスチック製割箸であり、先端側を断面円形にして細くし、基端側を断面角形として太くしたプラスチック杆を二本並列し、前記角形の隅部を薄皮で連結すると共に、中間部の四面には断面凹状の溝を設け、前記先端側の物品挟着域に、複数段の環状溝を設け、前記基端側の角形部と、先端側の円形部との間は、ほぼ同一断面の隅部円弧の方形であり、全長に亘り凹孤溝が設けられたことを特徴とするプラスチック製割箸であり、先端側を断面円形にして細くし、基端側を断面角形として太くしたプラスチック杆を二本並列し、前記角形の隅部を薄皮で連結すると共に、前記薄皮の下縁に三角状切込みを入れ、前記プラスチック杆の中間部の四面には断面凹状の溝を設け、前記先端側の物品挟着域は先端側を細くし、基端側を太くして、該部に、複数段の環状溝を設け、前記基端側の角形部と、先端側の円形部との間は、ほぼ同一断面の隅部円弧の方形であり、全長に亘り凹孤溝が設けられたことを特徴とするプラスチック製割箸である。
【００１１】
この考案は箸の基部の角形の隅部を薄皮で連結したので、比較的破断し易くなっている。ここに角形とは、三角、四角、五角、六角及び八角形その他の多角形をいう。また薄皮の下縁（箸の先端側に近い方）に切込みを入れたから、両箸の分離（従って薄皮の破断）がきわめて容易となった。
【００１２】
次に平面部へ凹状の溝を設けたので、比較的使用材料が少なくて、曲げに強い特性がある。また先端側を断面円形にしたので、二本の箸の向きがどのようであろうと、物を均等に挟むことができる。
【００１３】
前記凹状の溝は、強度を勘案して深くし、可及的に少ない材料で箸を製造することができる。
【００１４】
この考案に使用する合成樹脂は、ポリプロピレン、ポリエチレン、ポリカーボネイトの外、とうもろこし、さとうきび、じゃがいもから得た樹脂（生分解性樹脂）又はプラスチック同様に、成型が可能なＥペレット（北越製紙グループ開発の上白古紙５１％以上を含有させた新素材）、その他毒性がなく、強度のある合成樹脂は使用することができる。前記において、合成プラスチックは再生することができると共に、生分解性樹脂は燃焼値が低く（例えば２００℃）ダイオキシンが発生しないし、原料に毒性がない。また放置（又は人工的に）すれば微生物に分解されるので、環境衛生上優れている。また、何れも水と油に耐性がある。
【考案の効果】
【００１５】
この考案によれば、基端の角形の隅部を、薄皮で連結したので、先端側を開くことにより容易に前記薄皮を破断することができる。
【００１６】
また薄皮の下縁へ切込みを入れたので、薄皮の原味に拘らず容易に破断できる効果がある。
【００１７】
次に二面又は四面へ凹入溝を設けたので、比較的少ない材料で十分の強度を有する箸を得ることができる。
【考案を実施するための最良の形態】
【００１８】
この考案は、先端側を断面円形にして細くし、基端側を断面角形として太くしたプラスチック杆を二本並列し、前記基端から１ｃｍ程の隅部を薄皮で連結すると共に、該薄皮の下縁に三角状の切込みを入れ、中間部の隅部は孤状に形成し、平面部には断面凹状の溝を設け、前記先端側の物品挟着域は、先端側を細くし、基端側を太くして該部に複数段の環状溝を設け、前記基端側の角形部と、先端側の円形部との間はほぼ同一断面形状としてこの考案のプラスチック製割箸を構成した。
【実施例１】
【００１９】
この考案の実施例を図１、２に基づいて説明すると、プラスチック杆１、１の基端に１ｃｍ程の正方形部２、２を設け、先端部ほぼ４ｃｍ程に挟着部４、４を設け、挟着部４、４は基端側を太くし、先端側を細く、その間の側壁に環状溝３、３を設け、前記正方形部２、２と、前記挟着部４、４との中間部５、５は、隅部を円孤状９に形成し、平面部に断面凹孤状の溝６、６を設け、前記方形部２、２の隅部を、薄皮７で接続し、薄皮７の下縁に切込み８を設けて、この考案のプラスチック製割箸１０を得た。
【００２０】
前記実施例において、先端側の一部で点接着してある。これは、機械による自動包装に際し、二本のプラスチック杆が正しく並列しているようにした為である。またプラスチック杆の中間部は断面ほぼ方形であるが、三角形〜八角形その他の多角形の何れも採用することができる。また溝６の深さは更に深くしても、浅くしてもよく、何れもこの考案に属するものである。
【図面の簡単な説明】
【００２１】
【図１】（ａ）この考案の実施例の平面図、（ｂ）同じく正面図。
【図２】（ａ）同じく一部拡大斜視図、（ｂ）同じく側面（基端側）拡大図、（ｃ）同じく一本のプラスチック杆の側面（挟着部側）拡大図。
【符号の説明】
【００２２】
１  プラスチック杆
２  正方形部
３  環状溝
４  挟着部
５  中間部
６  溝
７  薄皮
８  切込み
９  円孤状
１０  プラスチック箸
【図１】
0003124630.tif 000003
【図２】
0003124630.tif 000004